(57)【要約】      （修正有）【課題】特定のケーブルを撤去する作業にかかる作業効率の向上を図るとともに作業時間の短縮を図ること。【解決手段】絶縁材料によって形成され、少なくとも一部に透光性を有する材料によって形成された透明外皮部１０７を備えた中空管状の外皮１０５と、外皮の内側に設けられた線状の伝導体１０２と、外皮の内側であって伝導体と外皮の内面との間に設けられた導光部材１０８と、を備えたケーブル１００を構成した。これにより、撤去対象とするケーブルの端部から可視光を入射して当該ケーブルを発光させることによって、ケーブルの長さにかかわらず、撤去対象とするケーブルを容易かつ確実に特定することができる。【選択図】図１
2020003538.tif 000002
【特許請求の範囲】
【請求項１】
絶縁材料によって形成され、少なくとも一部に透光性を有する材料によって形成された透明外皮部を備えた中空管状の外皮と、
前記外皮の内側に設けられた線状の伝導体と、
前記外皮の内側であって前記伝導体と前記外皮の内面との間に設けられた導光部材と、
を備えたことを特徴とするケーブル。
【請求項２】
前記透明外皮部は、前記外皮の長さ方向に沿って断続的に複数設けられていることを特徴とする請求項１に記載のケーブル。
【請求項３】
前記透明外皮部は、前記外皮の軸心を中心とする環形状をなすことを特徴とする請求項１または２に記載のケーブル。
【請求項４】
前記透明外皮部は、前記外皮の軸心を中心とする同一円周上に複数設けられていることを特徴とする請求項１または２に記載のケーブル。
【請求項５】
前記伝導体は、電気を通す導線であることを特徴とする請求項１〜４のいずれか一つに記載のケーブル。
【請求項６】
前記伝導体は、光を通す光ファイバであることを特徴とする請求項１〜４のいずれか一つに記載のケーブル。
【請求項７】
請求項１〜６のいずれか一つに記載のケーブルの一端から可視光を入射し、
前記可視光を導光する前記ケーブルを特定し、
特定した前記ケーブルを撤去する、
ことを特徴とするケーブルの撤去方法。
【発明の詳細な説明】
【技術分野】
【０００１】
この発明は、電気や光などを伝導するケーブルおよびケーブルの撤去方法に関する。
【背景技術】
【０００２】
電線路を収容するスペースには、通電している電線や光ファイバケーブルなどの無通電線路などの各種のケーブルが多条敷設されている。従来、このようなスペースからケーブルの撤去を行う場合、ケーブルに表示している標識を確認したり、ケーブルの末端から当該ケーブルを辿っていきながら確認したりする方法で、撤去対象とするケーブルの確認をおこなっていた。
【０００３】
関連する技術として、具体的には、従来、たとえば、ケーブルの両端にそれぞれ設けられたコネクタのうちの一方のコネクタに第１の端末接続部材を取り付け、他方のコネクタに光出射部を有する第２の端末接続部材を取り付けた状態で、光出射部から第２の端末接続部材の外部へ対照用光を出射させて、該当する第１の端末接続部材を発光させることにより、複数本のケーブル中から目的とするケーブルを特定するようにしたケーブル特定システムおよびケーブル特定方法に関する技術があった（たとえば、下記特許文献１を参照。）。
【０００４】
また、具体的には、従来、たとえば、径方向断面のほぼ中央に光透過線を配設したＬＡＮケーブルの一端に取り付けられた第一コネクタから光を入力し、当該ＬＡＮケーブルの他端に取り付けられた第二コネクタの内部で光透過部材を発光させるようにしたＬＡＮケーブル、端部追跡装置、ＬＡＮケーブル形成方法及び端部追跡方法に関する技術があった（たとえば、下記特許文献２を参照。）。
【先行技術文献】
【特許文献】
【０００５】
【特許文献１】特開２０１７−１１７７１８号公報
【特許文献２】特開２０１０−３２９６２号公報
【発明の概要】
【発明が解決しようとする課題】
【０００６】
しかしながら、上述した従来の技術は、いずれも、特定対象とするケーブルの一端から入射した光（可視光）を、当該ケーブルの他端において識別することにより、特定対象とするケーブルの両端ないし他端を特定するため、ケーブルの途中を目視して特定対象とするケーブルを特定することができないという問題があった。
【０００７】
また、上述した従来の技術は、いずれも、特定対象とするケーブルの一端から入射した光（可視光）を、当該ケーブルの他端において識別することにより、特定対象とするケーブルの端部を特定することはできるが、束になった複数本のケーブルや、他のケーブルの影に位置するケーブルを特定対象とする場合、当該ケーブルの両端を特定しただけでは円滑に撤去することが難しいという問題があった。
【０００８】
この発明は、上述した従来技術による問題点を解消するため、特定のケーブルを撤去する作業にかかる作業効率の向上を図るとともに作業時間の短縮を図ることができるケーブルおよびケーブルの撤去方法を提供することを目的とする。
【課題を解決するための手段】
【０００９】
上述した課題を解決し、目的を達成するため、この発明にかかるケーブルは、絶縁材料によって形成され、少なくとも一部に透光性を有する材料によって形成された透明外皮部を備えた中空管状の外皮と、前記外皮の内側に設けられた線状の伝導体と、前記外皮の内側であって前記伝導体と前記外皮の内面との間に設けられた導光部材と、を備えたことを特徴とする。
【００１０】
また、この発明にかかるケーブルは、上記の発明において、前記透明外皮部が、前記外皮の長さ方向に沿って断続的に複数設けられていることを特徴とする。
【００１１】
また、この発明にかかるケーブルは、上記の発明において、前記透明外皮部が、前記外皮の軸心を中心とする環形状をなすことを特徴とする。
【００１２】
また、この発明にかかるケーブルは、上記の発明において、前記透明外皮部が、前記外皮の軸心を中心とする同一円周上に複数設けられていることを特徴とする。
【００１３】
また、この発明にかかるケーブルは、上記の発明において、前記伝導体が、電気を通す導線であることを特徴とする。
【００１４】
また、この発明にかかるケーブルは、上記の発明において、前記伝導体が、光を通す光ファイバであることを特徴とする。
【００１５】
また、この発明にかかるケーブルの撤去方法は、上記のケーブルの一端から可視光を入射し、前記可視光を導光する前記ケーブルを特定し、特定した前記ケーブルを撤去する、
ことを特徴とする。
【発明の効果】
【００１６】
この発明にかかるケーブルおよびケーブルの撤去方法によれば、特定のケーブルを撤去する作業にかかる作業効率の向上を図るとともに作業時間の短縮を図ることができるという効果を奏する。
【図面の簡単な説明】
【００１７】
【図１】この発明にかかる実施の形態１のケーブルの構成を示す説明図である。
【図２】この発明にかかる実施の形態２のケーブルの構成を示す説明図である。
【図３】この発明にかかる実施の形態３のケーブルの構成を示す説明図である。
【発明を実施するための形態】
【００１８】
以下に添付図面を参照して、この発明にかかるケーブルおよびケーブルの撤去方法の好適な実施の形態を詳細に説明する。
【００１９】
＜実施の形態１＞
（ケーブルの構成）
まず、この発明にかかる実施の形態１のケーブルの構成について説明する。図１は、この発明にかかる実施の形態１のケーブルの構成を示す説明図である。図１において、この発明にかかる実施の形態１のケーブル１００は、線状の外観をなしている。この発明にかかるケーブル１００は、電力用のケーブルであってもよく、通信用のケーブルであってもよい。図１においては、通信用のケーブル１００を例示している。
【００２０】
この発明にかかる実施の形態１のケーブル１００は、テンションメンバ１０１と、心線１０２と、保護層１０３と、押さえ巻部材１０４と、外皮（シース）１０５と、を備えている。テンションメンバ１０１は、線状体であって、ケーブル１００の製造時や布設時および敷設後に、ケーブル１００に加えられる張力や温度伸縮力を負担する。
【００２１】
テンションメンバ１０１は、心線１０２が必要以上に屈曲したり伸ばされたりすることを防止するために設けられており、ケーブル１００に対してかけられる外力から心線１０２を保護し、光ファイバに歪応力がかからないようにしている。テンションメンバ１０１は、たとえば、鋼線、ＦＲＰ、アラミド繊維などによって形成される。
【００２２】
心線１０２は、複数設けられており、それぞれ、テンションメンバ１０１の周囲に配置されている。各心線１０２は、細線状のコアと、当該コアの外周面を被覆するクラッドと、によって構成されており（図示を省略する）、長さ方向における一端部から入射された光を他端側に伝搬する。この実施の形態１において、心線１０２は、この発明にかかる伝導体を実現する。なお、この発明にかかる伝導体は、電気を通す導線によって実現してもよい。この場合、ケーブル１００は、電力用のケーブルとして機能する。
【００２３】
コアは、主に、長さ方向における一端部から入射された光を他端側に伝搬する機能を実現する。具体的に、コアは、たとえば、シリカガラス（石英ガラス）など、光の屈折率が高い材料を用いて形成することができる。コアには、屈折率を上げるために、Ｇｅ（ゲルマニウム）やＰ（リン）が添加されていてもよい。
【００２４】
クラッドは、コアとの界面において、コア中を伝播される光をコアの中に反射する機能を実現する。クラッドは、コアよりも光の屈折率が低い材料を用いて形成されている。クラッドは、具体的には、たとえば、Ｂ（ホウ素）やＦ（フッ素）などを添加して屈折率を下げたシリカガラスによって実現することができる。
【００２５】
ケーブル１００において、心線１０２は、たとえば、平行に並べた状態の複数の心線１０２を紫外線硬化型樹脂などを用いて一括被覆したテープ心線を用いることができる。テープ心線は、複数本の心線１０２どうしの融着接続を一括しておこなうことができ、接続作業時間の短縮を図ることができるため、広く利用されている。
【００２６】
テープ心線を用いたケーブル１００においては、重ね合わされた複数のテープ心線１０２を保持するテープスロット１０６がテンションメンバ１０１の周囲に配置されている。テープ心線を用いることにより、細径で高密度のケーブル１００を実現することができる。
【００２７】
なお、ケーブル１００において、心線１０２は、テープ心線に限るものではなく、単心線であってもよい。この場合、複数の単心線がテンションメンバ１０１の周囲に配置されている。また、ケーブル１００は、複数の心線１０２によって構成されるユニットを複数備え、複数のユニットをテンションメンバ１０１の周囲に配置することによって構成されるユニット型ケーブルであってもよい。
【００２８】
保護層１０３は、心線１０２（テープスロット１０６）を包むようにして、心線１０２の周囲に設けられている。保護層１０３は、弾性を有する材料を用いて形成されており、テンションメンバ１０１の周囲に設けられた心線１０２を、外力から保護する。保護層１０３は、たとえば、発泡性樹脂によって形成することができる。押さえ巻部材１０４は、保護層１０３を外周側から巻き込み、心線１０２を包んだ状態でテンションメンバ１０１の周囲に押さえつけて固定する。
【００２９】
外皮１０５は、中空管状をなし、絶縁材料によって形成されている。外皮１０５は、押さえ巻部材１０４を外周側から覆い、敷設されたケーブル１００を敷設された環境から保護する。外皮１０５は、たとえば、ＰＥ（ポリエチレン）、ＰＶＣ（ポリ塩化ビニル）、ＦＥＰなどを用いて形成することができる。
【００３０】
テトラフルオロエチレンとヘキサフルオロプロピレンとの共重合体であるＦＥＰは、耐熱性や耐候性や機械的強度に優れているが、コストが高いため、シースを形成する材料としては、性能と価格の面から、ＰＥやＰＶＣを用いることが好ましい。なお、ＰＶＣは燃焼時に有毒な塩素系ガスやダイオキシンを発生させるため、ＰＥによって形成されたシースを用いることが好ましい。
【００３１】
ＰＥは、耐蝕性や耐衝撃性に優れているものの、単独では紫外線によって劣化しやすいという性質を備えている。このため、シースを形成するＰＥについては、カーボンブラックなどの黒色顔料を添加し、当該黒色顔料によって紫外線を吸収することによって耐候性の向上や長寿命化を図っていることが多い。また、シースを形成するＰＥに黒色顔料を添加することにより、ケーブル１００内部に外光が透過することを抑え、心線１０２などのシースの内側に設けられた部材の劣化を抑制することができる。
【００３２】
外皮１０５は、少なくとも一部に透光性を有する材料によって形成された透明外皮部１０７を備えている。各透明外皮部１０７は、ケーブル１００の軸心を中心とする環形状をなす。透明外皮部１０７は、外皮１０５すなわちケーブル１００の長さ方向に沿って断続的に複数設けられている。具体的に、透明外皮部１０７は、たとえば、「２メートル間隔」、「３メートル間隔」など、ケーブル１００の長さ方向において互いに任意の間隔を空けて複数設けられている。
【００３３】
透明外皮部１０７は、たとえば、透明ビニルなど、光学的に透明な材料を用いて形成することができる。また、透明外皮部１０７は、たとえば、黒色顔料を混ぜていない透明なＰＥによって形成してもよい。これにより、透明外皮部１０７の耐蝕性や耐衝撃性を確保することができる。
【００３４】
また、ケーブル１００の全体を透明にするのではなく、外皮１０５の一部に透明外皮部１０７を設け、その他の部分は黒色顔料などによって着色することにより、外皮１０５の内側に設けられた心線１０２などのシースの内側に設けられた部材の劣化を抑制し、ケーブル１００の耐候性や寿命の長さを確保することができる。
【００３５】
ケーブル１００は、さらに、導光部材１０８を備えている。導光部材１０８は、光学的に透明な材料を用いて形成され、線状をなし、長さ方向における一端側から入射された光を他端側に伝達する。導光部材１０８は、たとえば、上記の心線１０２と同様の、光ファイバによって実現することができる。
【００３６】
導光部材１０８は、外皮１０５の内側であって、伝導体である心線１０２と外皮１０５の内面との間に設けられている。導光部材１０８は、外皮１０５の直下に設けられている。導光部材１０８は、外皮１０５の内周面と接していてもよく、空間を空けて対向していてもよい。より具体的に、この実施の形態１のケーブル１００において、導光部材１０８は、心線１０２や保護層１０３を外周側から巻き込んでいる押さえ巻部材１０４と、外皮１０５の内面との間に設けられている。
【００３７】
また、導光部材１０８は、ケーブル１００の軸心を中心とする同一円周上において、複数設けられていることが好ましい。ケーブル１００の軸心を中心とする同一円周上において複数の導光部材１０８を設ける場合、導光部材１０８は、当該同一円周上において等間隔で設けられていることが好ましい。
【００３８】
上記のように、外皮１０５は透明外皮部１０７を備えており、導光部材１０８は外皮１０５の直下に設けられているため、透明外皮部１０７が設けられている位置においては、透明外皮部１０７の直下に導光部材１０８が位置づけられる。また、透明外皮部１０７がケーブル１００の長さ方向に沿って断続的に複数設けられているため、ケーブル１００の長さ方向における複数箇所において、透明外皮部１０７を介して、ケーブル１００の外側から導光部材１０８の発光を視認することができる。
【００３９】
ケーブル１００の長さ方向に沿って断続的に複数設けられた各透明外皮部１０７は、それぞれ、外皮１０５の軸心を中心とする環形状をなす。これにより、ケーブル１００の製造時に、透明外皮部１０７と導光部材１０８との位置関係を厳密に調整することなく、確実に、各透明外皮部１０７の直下に導光部材１０８を配置することができる。これによって、各透明外皮部１０７を介して、ケーブル１００の外側から導光部材１０８の発光を確実に視認することができる。
【００４０】
（従来のケーブルの撤去作業の一例）
つぎに、多条敷設されている複数本の従来のケーブルの中から特定のケーブル１００を撤去する撤去作業の一例について説明する。このような従来のケーブルの撤去作業に際しては、まず、撤去対象とするケーブルの端部を特定する。撤去対象とするケーブルの端部は、接続されている当該端部の位置により特定することができる。
【００４１】
具体的には、撤去対象とするケーブルの端部は、たとえば、撤去対象とするケーブルの端部が接続されている光接続箱などの機器や、当該機器において撤去対象とするケーブルが接続されているコネクタの位置を特定（識別）することによって特定することができる。
【００４２】
そして、従来は、特定した端部から、反対側の端部までケーブルを辿ることにより、撤去対象とするケーブルを特定していた。撤去対象とするケーブル自体にテープなどの標識が設けられている場合は、この標識を頼りに該当するケーブルを辿り、撤去対象とするケーブルの全体を特定していた。また、撤去対象とするケーブル自体にテープなどの標識が設けられている場合は、ケーブルの途中区間で切断して撤去することができる。
【００４３】
しかしながら、撤去対象とするケーブルが長い場合や、撤去対象とするケーブルが複数のフロア（階床）にわたって敷設されている場合、あるいは、撤去対象とするケーブルが別のケーブルの陰に敷設されている場合は、撤去対象とするケーブルの端部を特定しても、直ちに撤去対象とするケーブルの全体を特定することが難しい。
【００４４】
このような場合、従来は、たとえば、一人の作業者が撤去対象とするケーブルの端部を引っ張り、それに連れて動くケーブルを、別の作業者が目視しながら辿っていかなければならなかった。このため、ケーブルの全体を特定するために、複数の作業者を要し、多大な労力と長い時間をかけなければならず、煩わしかった。
【００４５】
特に、従来は、撤去対象とするケーブルが古いケーブルである場合、当該ケーブルの上に後から敷設されたケーブルが重なるようにして敷設されているため、撤去対象とするケーブルを端部から引っ張っても当該ケーブルが動きにくく、撤去対象とするケーブルの全体を特定するために一層の手間と時間がかかり煩わしかった。これに対し、この発明にかかる実施の形態１のケーブル１００を用いることにより、以下のような方法によって容易かつ短時間で撤去対象とするケーブル１００の全体を特定することができる。
【００４６】
（ケーブル１００の撤去作業の一例）
つぎに、この発明にかかる実施の形態１のケーブル１００が複数本多条敷設されている環境において、撤去対象とするケーブル１００を撤去する撤去作業の一例について説明する。このようなケーブル１００の撤去作業に際しては、まず、上記と同様にして撤去対象とするケーブル１００の端部を特定し、特定した端部から可視光を入射する。可視光は、たとえば、以下に示す可視光入射装置を用いて入射することができる。
【００４７】
このような可視光入射装置は、たとえば、光ファイバの導通を確認するために用いられる公知の光ファイバチェッカと同様の構成によって実現することができる。具体的に、可視光入射装置は、光コネクタと、光源と、スイッチと、制御回路と、電源と、を備えている。
【００４８】
光コネクタは、フェルールやホルダによって構成することができる。光コネクタは、撤去対象とするケーブル１００が備える導光部材１０８に取り外し可能に取り付けられる。可視光入射装置は、撤去対象とするケーブル１００が備える導光部材１０８の数と同数以上のコネクタを備えていることが好ましい。光コネクタは、公知の技術を用いて容易に実現可能であるため説明を省略する。
【００４９】
光源は、人間の眼で見ることができる波長（３８０〜７８０ｎｍ程度）の可視光を発光する。具体的には、光源は、たとえば、可視光域の波長のレーザー光を発光するレーザー光源によって実現することができる。光源は、たとえば、赤色などのように、視認性の良好な波長で発光する。
【００５０】
スイッチは、作業者による、光源の点灯／消灯を切り換える操作を受け付ける。制御回路は、スイッチにおいて受け付けた操作に応じて光源の点灯／消灯を切り替える。電源は、たとえば、電池を用いることができる。可視光入射装置は、電源に代えて、ＡＣ／ＤＣコンバータを介してコンセントに接続されていてもよい。
【００５１】
可視光入射装置は、コネクタに代えて、撤去対象とするケーブル１００の端部に被せることができる内径の、キャップ形状をなすコネクタを備えていてもよい。この場合、コネクタの内側に、少なくともキャップ形状における底面全体を発光させる発光体を設ける。具体的には、キャップ形状をなすコネクタの底面全体に拡散板を設けるとともに、当該拡散板に対して光を入射する光源を設ける。
【００５２】
このようなキャップ形状をなすコネクタを備えた可視光入射装置を用いることにより、ケーブル１００が備える導光部材１０８の本数にかかわらず、ケーブル１００の端部にキャップ形状をなすコネクタを被せるだけで、すべての導光部材１０８に容易かつ確実に可視光を入射することができる。
【００５３】
撤去対象とするケーブル１００の端部から入射した可視光は、撤去対象とするケーブル１００の導光部材１０８を導光される。これにより、撤去対象とするケーブル１００の導光部材１０８は、たとえば、赤色などの可視光で発光する。導光部材１０８は透明外皮部１０７の直下に位置づけられているため、導光部材１０８の発光は、透明外皮部１０７を介してケーブル１００の外側に拡散される。また、透明外皮部１０７は、ケーブル１００の長さ方向に沿って断続的に複数設けられているため、ケーブル１００の長さ方向における複数箇所において、発光する導光部材１０８を各透明外皮部１０７を介して視認することができる。
【００５４】
特に、透明外皮部１０７が外皮１０５の軸心を中心とする環形状をなす場合、ケーブル１００の半径方向において、導光部材１０８と透明外皮部１０７とが必ず重複しているため、作業者に対して、導光部材１０８の発光を確実に視認させることができる。また、導光部材１０８を複数備えるケーブル１００の場合、各透明外皮部１０７において、当該透明外皮部１０７を介して発光を視認できる導光部材１０８の数が増えるため、導光部材１０８の姿勢にかかわらず、導光部材１０８の発光を一層確実に視認させることができる。
【００５５】
これにより、撤去対象とするケーブル１００が長い場合や、撤去対象とするケーブル１００が複数のフロア（階床）にわたって敷設されている場合、あるいは、撤去対象とするケーブル１００が別のケーブル１００の陰に敷設されている場合であっても、作業者は、撤去対象とするケーブル１００の一端部から可視光を入射するだけで、当該ケーブル１００の全体を容易かつ確実に特定することができる。そして、これにより、撤去対象とする特定のケーブル１００を誤認することなく、正確かつ迅速に撤去することができる。
【００５６】
また、撤去対象とするケーブル１００に取り付けた可視光入射装置を、可視光を発光している状態で固定することにより、撤去対象とするケーブル１００を、作業者が一人で特定することができる。さらに、撤去対象とするケーブル１００の特定から当該ケーブル１００の撤去までの一連の作業を、一人の作業者がおこなうことができる。これにより、作業効率の向上を図ることができる。
【００５７】
このように、この発明にかかる実施の形態１のケーブル１００によれば、撤去対象とするケーブル１００の誤認による事故の発生や作業のやり直しをなくすことができる。これにより、ケーブル１００の撤去作業にかかる作業効率を向上させ、ケーブル１００の撤去作業にかかる作業時間の短縮を図ることができる。
【００５８】
以上説明したように、この発明にかかる実施の形態１のケーブル１００は、絶縁材料によって形成され、少なくとも一部に透光性を有する材料によって形成された透明外皮部１０７を備えた中空管状の外皮１０５と、外皮１０５の内側に設けられた線状の伝導体（心線１０２など）と、外皮１０５の内側であって伝導体と外皮１０５の内面との間に設けられた導光部材１０８と、を備えたことを特徴としている。
【００５９】
この発明にかかる実施の形態１のケーブル１００によれば、ケーブル１００の末端から可視光を入射することにより、当該可視光を導光することによって可視光の波長領域で発光する導光部材１０８を、透明外皮部１０７を介して容易に視認することができる。これにより、ケーブル１００の途中部分（両端部以外の部分）を目視することで、ケーブル１００を特定する作業をおこなう場所が当該ケーブル１００の末端に限定されることなく、特定対象とするケーブル１００を容易に識別することができ、撤去対象とするケーブル１００を誤認することなく容易かつ正確に特定することができる。
【００６０】
そして、これにより、複数本のケーブル１００が束になっている中から特定のケーブル１００を撤去したり、他のケーブル１００の陰に位置するケーブル１００を撤去したりする作業を、正確かつ迅速におこなうことができる。これによって、作業環境にかかわらず、特定のケーブル１００を撤去する作業を正確かつ迅速におこなうことができるので、作業効率の向上を図るとともに作業時間の短縮を図ることができる。
【００６１】
また、この発明にかかる実施の形態１のケーブル１００は、透明外皮部１０７が、外皮１０５の長さ方向に沿って断続的に複数設けられていることを特徴としている。
【００６２】
この発明にかかる実施の形態１のケーブル１００によれば、外皮１０５全体を透明な外皮１０５にする場合と比較して、外皮１０５すなわちケーブル１００の耐久性を低下させることなく、特定対象とするケーブル１００を容易に特定することができる。これにより、この発明にかかる実施の形態１のケーブル１００が複数本束になっている中から特定のケーブル１００を撤去する場合に、当該撤去する作業に起因して、残置するケーブル１００が損傷してしまうことを防止できる。
【００６３】
また、この発明にかかる実施の形態１のケーブル１００は、透明外皮部１０７が、外皮１０５の軸心を中心とする環形状をなすことを特徴としている。
【００６４】
この発明にかかる実施の形態１のケーブル１００によれば、ケーブル１００の製造時に、透明外皮部１０７と導光部材１０８との位置関係を厳密に調整することなく、各透明外皮部１０７の直下に導光部材１０８を配置することができる。これにより、ケーブル１００の製造にかかる歩留まりの向上を図り、ケーブル１００の製造コストを抑えることができる。
【００６５】
なお、上述した実施の形態１においては、ケーブル１００の長さ方向に沿って断続的に複数設けられた各透明外皮部１０７は、それぞれ、外皮１０５の軸心を中心とする環形状をなすケーブル１００の例について説明したが、透明外皮部１０７の形状はこれに限るものではない。
【００６６】
＜実施の形態２＞
（ケーブルの構成）
つぎに、この発明にかかる実施の形態２のケーブルの構成について説明する。実施の形態２においては、上述した実施の形態１と同一部分は同一符号で示し、説明を省略する。図２は、この発明にかかる実施の形態２のケーブルの構成を示す説明図である。
【００６７】
図２に示すように、この発明にかかる実施の形態２のケーブル２００は、外皮１０５の軸心を中心とする同一円周上に複数設けられた透明外皮部２０１を備えている。透明外皮部２０１は、同一円周上において、導光部材１０８の数と同数設けられていることが好ましい。また、透明外皮部２０１は、ケーブル２００の長さ方向において、「２メートル間隔」、「３メートル間隔」などのように、互いに任意の間隔を空けて複数設けられている。
【００６８】
この発明にかかる実施の形態２のケーブル２００によれば、外皮１０５において、黒色顔料を添加することによって耐候性の向上や長寿命化を図ることができる部分が、切れ間なく連続しているため、外皮１０５の一部を黒色顔料が添加されていない透明外皮部２０１によって構成した場合にも、外皮１０５すなわちケーブル２００の耐久性を維持することができる。
【００６９】
これにより、透明外皮部２０１を備えていない従来のケーブルと比較して、容易に特定することができるケーブル２００の耐久性を維持することができる。そして、これにより、この発明にかかる実施の形態２のケーブル２００によれば、複数本が束になっている中から撤去対象とするケーブル２００を撤去する場合に、当該撤去する作業に起因して、残置するケーブル２００が損傷してしまうことを確実に防止することができる。
【００７０】
また、ケーブル２００の軸心を中心とする同一円周上において複数（導光部材１０８と同数）の透明外皮部２０１を設けることにより、ケーブル２００の製造時に、仮に、複数の導光部材１０８のうちのいずれかが透明外皮部２０１の直下位置からずれてしまった場合にも、その他の導光部材１０８の発光を視認させることができる。これにより、ケーブル２００の耐久性を確保するとともに、当該ケーブル２００を撤去する作業を正確かつ迅速におこなうことができるので、作業効率の向上を図るとともに作業時間の短縮を図ることができる。
【００７１】
＜実施の形態３＞
（ケーブルの構成）
つぎに、この発明にかかる実施の形態３のケーブルの構成について説明する。実施の形態３においては、上述した実施の形態１や実施の形態２と同一部分は同一符号で示し、説明を省略する。図３は、この発明にかかる実施の形態３のケーブルの構成を示す説明図である。
【００７２】
図３に示すように、この発明にかかる実施の形態３のケーブル３００は、外皮１０５の長さ方向における端部から、導光部材１０８が延出している。延出した導光部材１０８は、外皮１０５の外部に露出した状態とされている。延出した各導光部材１０８の端部には、それぞれ光コネクタ３０１が設けられている。光コネクタ３０１は、可視光入射装置が備える光コネクタ３０１と同様の構成からなる、フェルールやホルダによって構成することができる。
【００７３】
導光部材１０８は、ケーブル３００を撤去する際に、撤去対象とするケーブル３００の外皮１０５を、ケーブル３００の長さ方向における端部から所定長さ剥ぎ取ることによって露出させてもよい。この場合、光コネクタ３０１は、撤去対象のケーブル３００を特定する際に、露出させた導光部材１０８に取り付ける。
【００７４】
このように、導光部材１０８を露出させることにより、汎用的な既存の光ファイバチェッカを可視光入射装置として用いて、可視光入射装置と導光部材１０８とを容易かつ確実に接続することができる。これにより、ケーブル３００の撤去作業にかかる作業効率を向上させ、ケーブル３００の撤去作業にかかる作業時間の短縮を図ることができる。
【産業上の利用可能性】
【００７５】
以上のように、この発明にかかるケーブルは、電気や光などを伝導するケーブルおよびケーブルの撤去方法に有用であり、特に、複数本まとめて敷設されるケーブルおよびケーブルの撤去方法に適している。
【符号の説明】
【００７６】
１００  ケーブル
１０１  テンションメンバ
１０２  心線
１０３  保護層
１０４  押さえ巻部材
１０５  外皮
１０６  テープスロット
１０７  透明外皮部
１０８  導光部材
２００  ケーブル
２０１  透明外皮部
３００  ケーブル
３０１  光コネクタ
【図１】
2020003538.tif 000003
【図２】
2020003538.tif 000004
【図３】
2020003538.tif 000005